(57)【特許請求の範囲】
【請求項１】
画像供給装置から画像表示装置へ画像データを送信する際の最適な画像送信方式を決定する方法であって、
前記画像供給装置から前記画像表示装置へケーパビリティ要求コマンドを送信するケーパビリティ要求ステップと、
前記ケーパビリティ要求コマンドに応じてケーパビリティ情報を前記画像表示装置から前記画像供給装置へ送信するケーパビリティ要求コマンド応答ステップと、
前記画像供給装置から前記画像表示装置までの伝送路が確立された後で前記画像データの送信前に、前記画像供給装置が取得した前記画像表示装置のケーパビリティ情報と、伝送路情報に応じた最適の画像送信方式を導き出すように予め作成されている対応テーブルとの少なくとも一方に基づいて画像送信方式を決定する画像送信方式決定処理ステップと、を備え、
前記画像送信方式決定処理ステップは、
画像を縮小することにより前記画像データのデータ量を減少させるスケーリングを前記画像供給装置と前記画像表示装置のどちら側で実行するかを決定するスケーリング決定ステップと、
前記画像データの圧縮方式を選択可能な範囲の何れかに決定する圧縮方式決定ステップと、を含むことを特徴とする画像送信方式の決定方法。
【請求項２】
前記画像供給装置から前記画像表示装置へ接続要求コマンドを送信する接続要求ステップと、
転送する画像の画像構成データとして少なくとも解像度またはピクセルフォーマットを規定し得るデータを前記画像供給装置から前記画像表示装置へ送信する画像構成データ送信ステップと、
前記画像供給装置から前記画像表示装置へ状態問合せコマンドを送信する状態問合せステップと、
前記状態問合せコマンドに応答する状態問合せコマンド応答ステップと、
前記画像送信方式決定処理ステップで決定された方式による画像データを前記画像供給装置から前記画像表示装置へ送信する画像データ送信ステップと
を備えたことを特徴とする請求項１に記載の画像送信方式の決定方法。
【請求項３】
前記接続要求コマンドに前記画像構成データが含まれている場合は、同一手順として前記画像構成データ送信が実行されることを特徴とする請求項２に記載の画像送信方式の決定方法。
【請求項４】
前記ケーパビリティ要求コマンドにおいて、
前記ケーパビリティ情報の内容毎に定められたケーパビリティＩＤのうち、
前記画像供給装置が取得して有効なケーパビリティ情報に係るケーパビリティＩＤのみを前記画像供給装置が前記画像表示装置に要求することを特徴とする請求項１ないし請求項３の何れか１項に記載の画像送信方式の決定方法。
【請求項５】
伝送路を介して画像供給装置から画像表示装置に画像データを供給するシステムであって、
前記画像供給装置は、
前記画像表示装置へケーパビリティ要求コマンドを送信するケーパビリティ要求手段と、
前記画像表示装置から得られたケーパビリティ情報および／または伝送路情報に基づいて最適な画像データの送信方式を決定する画像送信方式決定手段と、
前記画像表示装置へ接続要求コマンドを送信する接続要求手段と、
転送しようとする画像の画像構成データとして少なくとも解像度またはピクセルフォーマットを規定し得る画像構成データを前記画像表示装置へ送信する画像構成データ送信手段と、
前記画像表示装置へ状態問合せコマンドを送信する状態問合せ手段と、
前記画像送信方式決定手段の決定に基づいた方式による画像データを前記画像供給装置から前記画像表示装置へ送信する画像データ送信手段と、を備え、
前記画像表示装置は、
前記ケーパビリティ要求コマンドに応じてケーパビリティ情報を提供するケーパビリティ情報提供手段と、
前記状態問合せコマンドに応答する状態問合せコマンド応答手段と、を備え、
前記画像供給装置の前記画像送信方式決定手段は、
画像を縮小することにより前記画像データのデータ量を減少させるスケーリングを前記画像供給装置と前記画像表示装置のどちら側で実行するかを決定するスケーリング決定手段と、前記画像データの圧縮方式を選択可能な範囲の何れかに決定する圧縮方式決定手段と、を含むことを特徴とする画像供給システム。
【請求項６】
伝送路を介して画像表示装置に画像データを供給する画像供給装置であって、
前記画像表示装置へケーパビリティ要求コマンドを送信するケーパビリティ要求手段と、
前記画像表示装置から得られたケーパビリティ情報および／または伝送路情報に基づいて画像データの送信方式を決定する画像送信方式決定手段と、
前記画像表示装置へ接続要求コマンドを送信する接続要求手段と、
転送しようとする画像の画像構成データとして少なくとも解像度またはピクセルフォーマットを規定し得る画像構成データを前記画像表示装置へ送信する画像構成データ送信手段と、
前記画像表示装置へ状態問合せコマンドを送信する状態問合せ手段と、
前記画像送信方式決定手段の決定に基づいた方式による画像データを前記画像供給装置から前記画像表示装置へ送信する画像データ送信手段と、を備え、
前記画像送信方式決定手段は、
画像を縮小することにより前記画像データのデータ量を減少させるスケーリングを前記画像供給装置と前記画像表示装置のどちら側で実行するかを決定するスケーリング決定手段と、前記画像データの圧縮方式を選択可能な範囲の何れかに決定する圧縮方式決定手段と、を含むことを特徴とする画像供給装置。
【請求項７】
画像供給装置から画像表示装置へケーパビリティ要求コマンドを送信するケーパビリティ要求ステップと、
前記ケーパビリティ要求コマンドに応じてケーパビリティ情報を前記画像表示装置から前記画像供給装置へ送信するケーパビリティ要求コマンド応答ステップと、
前記画像供給装置から前記画像表示装置までの伝送路が確立された後で、前記画像供給装置が取得した前記画像表示装置のケーパビリティ情報と、伝送路情報に応じた最適の画像送信方式を導き出すように予め作成されている対応テーブルとの少なくとも一方に基づいて画像送信方式を決定する画像送信方式決定処理ステップと、
前記画像供給装置から前記画像表示装置へ接続要求コマンドを送信する接続要求ステップと、
転送する画像の画像構成データとして少なくとも解像度またはピクセルフォーマットを規定し得るデータを前記画像供給装置から前記画像表示装置へ送信する画像構成データ送信ステップと、
前記画像供給装置から前記画像表示装置へ状態問合せコマンドを送信する状態問合せステップと、
前記状態問合せコマンドに応答する状態問合せコマンド応答ステップと、
前記画像送信方式決定処理ステップで決定された方式による画像データを前記画像供給装置から前記画像表示装置へ送信する画像データ送信ステップと、を備え、
前記画像送信方式決定処理ステップは、
画像を縮小することにより前記画像データのデータ量を減少させるスケーリングを前記画像供給装置と前記画像表示装置のどちら側で実行するかを決定するスケーリング決定ステップと、
前記画像データの圧縮方式を選択可能な範囲の何れかに決定する圧縮方式決定ステップと、を含むことを特徴とするプログラム。
【請求項８】
請求項７記載のプログラムを記憶することを特徴とするコンピュータに読取り可能な記録媒体。
【発明の詳細な説明】
【技術分野】
【０００１】
本発明は、画像送信方式の決定方法、画像供給システム、画像供給装置、プログラム及びコンピュータに読取り可能な記録媒体に関する。
【背景技術】
【０００２】
従来、画像表示装置を画像供給装置に接続して用いる場合、画像表示装置でサポートしている圧縮方式等の処理能力に画像供給装置側で適応させることが一般的であった。そのように適応させる手段として、画像表示装置等に係るコンピュータと画像供給装置等に係るコンピュータの間において、コンピュータデータ処理ケーパビリティを交換するシステムおよび方法が知られている（例えば、特許文献１参照）。すなわち、コンピュータ間でデータ処理ケーパビリティについての情報を通信することができるというものである。
【０００３】
具体的には、コンピュータは、コンピュータ間のデータ転送が二つのコンピュータに対して可能な最も効率的なデータフォーマットで行われうるようにケーパビリティを交換する。データファイルを受け取る第１のコンピュータは、データ処理ケーパビリティのリストを、第１のコンピュータへデータファイルを伝送する第２のコンピュータへ送る。伝送側コンピュータは、受信側コンピュータのケーパビリティリストと同様にそれ自体のケーパビリティを検査し、転送のための最も効率的なデータフォーマットを決定する。伝送側コンピュータは、受信側コンピュータが中間データファイルを所望のデータフォーマットに処理する効率的データ転送のためにデータファイルを中間フォーマットへ処理し得るというものである。
【０００４】
一方、ＯＳＩ通信方法に関し、符号化方式等の異なる複数のデータを送信する場合に、簡便な通信制御の追加で通信の利便性を向上することができるＯＳＩ通信方法の技術が知られている（例えば、特許文献２参照）。具体的には、セッションコネクションが確立されると、送信予定の画像データについての情報、すなわち、文書画像データと静止画像データについての情報を含めたＣＡＰＡＢＩＬＩＴＹ ＤＡＴＡ ＳＰＤＵが送出される。着呼側端末は、この中で通信可能な自分の能力情報をＣＡＰＡＢＩＬＩＴＹ ＤＡＴＡ ＡＣＫ ＳＰＤＵに含めて応答する。発呼側端末は、この能力情報を受信し、相手が通信可能であることを確認した後、ＡＣＴＩＶＩＴＹ ＳＴＡＲＴ ＳＰＤＵを送出し、文書画像データと静止画像データを順に伝送して、ＡＣＴＩＶＩＴＹ ＥＮＤＳＰＤＵを送出するというものである。
【特許文献１】特開平７−２０３１７７号公報
【特許文献２】特開平６−１４０８３号公報
【発明の開示】
【発明が解決しようとする課題】
【０００５】
しかしながら、特許文献１，２の技術は画像表示装置等のケーパビリティや伝送路情報にもとづいて画像送信方式を決定する画像供給装置であるが、異なる画像表示装置と接続した場合にも十分なパフォーマンスを得ることができるようにしたものではなかった。特に、異なる画像表示装置を特定の画像供給装置と接続した場合、ある画像表示装置のみに適応するように画像供給装置を特化してしまうと、別の画像表示装置に接続した時に十分なパフォーマンスが得られないという課題がある。
【０００６】
なお、ここでいうパフォーマンスとは、画像供給装置から画像データを転送して、画像表示装置のビデオメモリ（ＶＲＡＭ）へ展開される「速度＝（所要時間−１）」を意味しており、迅速であるほどパフォーマンスが良好であるとされている。このパフォーマンスが劣悪となる原因の１つとして、画像供給装置と画像表示装置の両者間でサポートしているソフトデコードまたはハードデコード等による圧縮方式が異なっているからである、という場合がある。
【０００７】
また、画像表示装置によってパネルサイズが異なる場合、画像供給装置から伝送路を介して受け取った画像データを画像表示装置側でスケーリング処理しながらビデオメモリへ展開するよりは、予め画像供給装置側でスケーリング処理を済ませてデータ量を削減してから伝送路を通すようにする方が合理的である。また、スケーリング処理に要する時間は画像表示装置側で実行した場合に比べて、画像供給装置側で実行した場合の方が短時間で済むためにパフォーマンスが良くなることも多く、この点も改善余地がある。
【０００８】
本発明は、前記課題を解決するためになされたものであって、画像供給装置が画像表示装置を交換および／または切換えて接続した場合にも、その都度、接続される画像表示装置のケーパビリティを画像供給装置が取得して適応することによって、異なる画像表示装置と接続しても十分なパフォーマンスを得ることができるようにした画像送信方式の決定方法および画像供給システムを提供することを主目的とする。また、あるいは伝送路情報にも適応するほか、スケーリング処理の所要時間を短縮することも目的としている。
【課題を解決するための手段】
【０００９】
上記目的を達成するために、本発明の画像送信方式の決定方法では、画像供給装置から画像表示装置へ画像データを送信する際の最適な画像送信方式を決定する方法であって、前記画像供給装置から前記画像表示装置へケーパビリティ要求コマンドを送信するケーパビリティ要求ステップと、前記ケーパビリティ要求コマンドに応じてケーパビリティ情報を前記画像表示装置から前記画像供給装置へ送信するケーパビリティ要求コマンド応答ステップと、前記画像供給装置から前記画像表示装置までの伝送路が確立された後で前記画像データの送信前に、前記画像供給装置が取得した前記画像表示装置のケーパビリティ情報と、伝送路情報に応じた最適の画像送信方式を導き出すように予め作成されている対応テーブルとの少なくとも一方に基づいて画像送信方式を決定する画像送信方式決定処理ステップと、を備え、前記画像送信方式決定処理ステップは、画像を縮小することにより前記画像データのデータ量を減少させるスケーリングを前記画像供給装置と前記画像表示装置のどちら側で実行するかを決定するスケーリング決定ステップと、前記画像データの圧縮方式を選択可能な範囲の何れかに決定する圧縮方式決定ステップと、を含むことを特徴とする。また、前記画像供給装置から前記画像表示装置へ接続要求コマンドを送信する接続要求ステップと、転送する画像の画像構成データとして少なくとも解像度またはピクセルフォーマットを規定し得るデータを前記画像供給装置から前記画像表示装置へ送信する画像構成データ送信ステップと、前記画像供給装置から前記画像表示装置へ状態問合せコマンドを送信する状態問合せステップと、前記状態問合せコマンドに応答する状態問合せコマンド応答ステップと、前記画像送信方式決定処理ステップで決定された方式による画像データを前記画像供給装置から前記画像表示装置へ送信する画像データ送信ステップとを備えたことを特徴とする。また、前記接続要求コマンドに前記画像構成データが含まれている場合は、同一手順として前記画像構成データ送信が実行されることを特徴とする。また、前記ケーパビリティ要求コマンドにおいて、前記ケーパビリティ情報の内容毎に定められたケーパビリティＩＤのうち、前記画像供給装置が取得して有効なケーパビリティ情報に係るケーパビリティＩＤのみを前記画像供給装置が前記画像表示装置に要求することを特徴とする。
また、本発明の画像供給システムでは、伝送路を介して画像供給装置から画像表示装置に画像データを供給するシステムであって、前記画像供給装置は、前記画像表示装置へケーパビリティ要求コマンドを送信するケーパビリティ要求手段と、前記画像表示装置から得られたケーパビリティ情報および／または伝送路情報に基づいて最適な画像データの送信方式を決定する画像送信方式決定手段と、前記画像表示装置へ接続要求コマンドを送信する接続要求手段と、転送しようとする画像の画像構成データとして少なくとも解像度またはピクセルフォーマットを規定し得る画像構成データを前記画像表示装置へ送信する画像構成データ送信手段と、前記画像表示装置へ状態問合せコマンドを送信する状態問合せ手段と、前記画像送信方式決定手段の決定に基づいた方式による画像データを前記画像供給装置から前記画像表示装置へ送信する画像データ送信手段と、を備え、前記画像表示装置は、前記ケーパビリティ要求コマンドに応じてケーパビリティ情報を提供するケーパビリティ情報提供手段と、前記状態問合せコマンドに応答する状態問合せコマンド応答手段と、を備え、前記画像供給装置の前記画像送信方式決定手段は、画像を縮小することにより前記画像データのデータ量を減少させるスケーリングを前記画像供給装置と前記画像表示装置のどちら側で実行するかを決定するスケーリング決定手段と、前記画像データの圧縮方式を選択可能な範囲の何れかに決定する圧縮方式決定手段と、を含むことを特徴とする。
また、本発明の画像供給装置では、伝送路を介して画像表示装置に画像データを供給する画像供給装置であって、前記画像表示装置へケーパビリティ要求コマンドを送信するケーパビリティ要求手段と、前記画像表示装置から得られたケーパビリティ情報および／または伝送路情報に基づいて画像データの送信方式を決定する画像送信方式決定手段と、前記画像表示装置へ接続要求コマンドを送信する接続要求手段と、転送しようとする画像の画像構成データとして少なくとも解像度またはピクセルフォーマットを規定し得る画像構成データを前記画像表示装置へ送信する画像構成データ送信手段と、前記画像表示装置へ状態問合せコマンドを送信する状態問合せ手段と、前記画像送信方式決定手段の決定に基づいた方式による画像データを前記画像供給装置から前記画像表示装置へ送信する画像データ送信手段と、を備え、前記画像送信方式決定手段は、画像を縮小することにより前記画像データのデータ量を減少させるスケーリングを前記画像供給装置と前記画像表示装置のどちら側で実行するかを決定するスケーリング決定手段と、前記画像データの圧縮方式を選択可能な範囲の何れかに決定する圧縮方式決定手段と、を含むことを特徴とする。
また、本発明のプログラムでは、画像供給装置から画像表示装置へケーパビリティ要求コマンドを送信するケーパビリティ要求ステップと、前記ケーパビリティ要求コマンドに応じてケーパビリティ情報を前記画像表示装置から前記画像供給装置へ送信するケーパビリティ要求コマンド応答ステップと、前記画像供給装置から前記画像表示装置までの伝送路が確立された後で、前記画像供給装置が取得した前記画像表示装置のケーパビリティ情報と、伝送路情報に応じた最適の画像送信方式を導き出すように予め作成されている対応テーブルとの少なくとも一方に基づいて画像送信方式を決定する画像送信方式決定処理ステップと、前記画像供給装置から前記画像表示装置へ接続要求コマンドを送信する接続要求ステップと、転送する画像の画像構成データとして少なくとも解像度またはピクセルフォーマットを規定し得るデータを前記画像供給装置から前記画像表示装置へ送信する画像構成データ送信ステップと、前記画像供給装置から前記画像表示装置へ状態問合せコマンドを送信する状態問合せステップと、前記状態問合せコマンドに応答する状態問合せコマンド応答ステップと、前記画像送信方式決定処理ステップで決定された方式による画像データを前記画像供給装置から前記画像表示装置へ送信する画像データ送信ステップと、を備え、前記画像送信方式決定処理ステップは、画像を縮小することにより前記画像データのデータ量を減少させるスケーリングを前記画像供給装置と前記画像表示装置のどちら側で実行するかを決定するスケーリング決定ステップと、前記画像データの圧縮方式を選択可能な範囲の何れかに決定する圧縮方式決定ステップと、を含むことを特徴とする。
また、本発明のコンピュータに読取り可能な記録媒体では、前記のプログラムを記憶することを特徴とする。
上記目的を達成するために、本発明では、画像送信方式の決定方法に係る第１の解決手段として、画像供給装置から画像表示装置へ画像データを送信する際の最適な画像送信方式を決定する方法であって、前記画像供給装置から前記画像表示装置までの伝送路が確立された後で前記画像データの送信前に、前記画像供給装置が取得した前記画像表示装置のケーパビリティおよび／または伝送路情報に応じた最適の画像送信方式を導き出すように予め作成されている対応テーブルに基づいて画像送信方式を決定する、という解決手段を採用する。
【００１０】
画像送信方式の決定方法に係る第２の解決手段として、上記第１の解決手段において、前記画像供給装置から前記画像表示装置へケーパビリティ要求コマンドを送信するケーパビリティ要求ステップと、前記ケーパビリティ要求コマンドに応じてケーパビリティ情報を前記画像表示装置から前記画像供給装置へ送信するケーパビリティ要求コマンド応答ステップと、前記画像送信方式を決定する画像送信方式決定ステップと、前記画像供給装置から前記画像表示装置へ接続要求コマンドを送信する接続要求ステップと、転送する画像の画像構成データとして少なくとも解像度またはピクセルフォーマットを規定し得るデータを前記画像供給装置から前記画像表示装置へ送信する画像構成データ送信ステップと、前記画像供給装置から前記画像表示装置へ状態問合せコマンドを送信する状態問合せステップと、前記状態問合せコマンドに応答する状態問合せコマンド応答ステップと、前記画像送信方式決定処理ステップで決定された方式による画像データを前記画像供給装置から前記画像表示装置へ送信する画像データ送信ステップとを備える、という解決手段を採用する。
【００１１】
画像送信方式の決定方法に係る第３の解決手段として、上記第２の解決手段において、前記画像送信方式決定ステップには、画像を縮小することにより前記画像データのデータ量を減少させるスケーリングを前記画像供給装置と前記画像表示装置のどちら側で実行するかを決定するスケーリング決定ステップと、前記画像データの圧縮方式を選択可能な範囲の何れかに決定する圧縮方式決定ステップとを備える、という解決手段を採用する。
【００１２】
画像送信方式の決定方法に係る第４の解決手段として、上記第３の解決手段において、前記接続要求コマンドに前記画像構成データが含まれている場合は、同一手順として前記画像構成データ送信が実行される、という解決手段を採用する。
【００１３】
画像送信方式の決定方法に係る第５の解決手段として、上記第２〜第４の何れかの解決手段において、前記ケーパビリティ要求コマンドにおいて、前記ケーパビリティの内容毎に定められたケーパビリティＩＤのうち、前記画像供給装置が取得して有効なケーパビリティに係るケーパビリティＩＤのみを前記画像供給装置が前記画像表示装置に要求する、という解決手段を採用する。
【００１４】
画像送信方式の決定方法に係る第６の解決手段として、上記第１の解決手段において、前記画像供給装置から前記画像表示装置へケーパビリティ要求コマンドを送信するケーパビリティ要求ステップと、前記ケーパビリティ要求コマンドに応じてケーパビリティ情報を前記画像表示装置から前記画像供給装置へ送信するケーパビリティ要求コマンド応答ステップと、前記画像供給装置から前記画像表示装置へ通信速度計測用データを送信する通信速度計測用データ送信ステップと、前記通信速度計測用データに基づいて通信速度を計測することにより最適な画像データの送信方式を決定する画像送信方式決定ステップと、前記画像供給装置から前記画像表示装置へ接続要求コマンドを送信する接続要求ステップと、前記画像供給装置から前記画像表示装置へ状態問合せコマンドを送信する状態問合せステップと、前記状態問合せコマンドに応答する状態問合せコマンド応答ステップと、
前記画像送信方式決定処理ステップで決定された方式による画像データを前記画像供給装置から前記画像表示装置へ送信する画像データ送信ステップとを備える、という解決手段を採用する。
【００１５】
画像供給システムに係る第１の解決手段として、伝送路を介して画像供給装置から画像表示装置に画像データを供給するシステムであって、前記画像供給装置は、前記画像表示装置へケーパビリティ要求コマンドを送信するケーパビリティ要求手段と、前記画像表示装置から得られたケーパビリティ情報および／または伝送路情報に基づいて最適な画像データの送信方式を決定する画像送信方式決定手段と、前記画像表示装置へ接続要求コマンドを送信する接続要求手段と、転送しようとする画像の画像構成データとして少なくとも解像度またはピクセルフォーマットを規定し得る画像構成データを前記画像表示装置へ送信する画像構成データ送信手段と、前記画像表示装置へ状態問合せコマンドを送信する状態問合せ手段と、前記画像送信方式決定手段の決定に基づいた方式による画像データを前記画像供給装置から前記画像表示装置へ送信する画像データ送信手段と、を備え、前記画像表示装置は、前記ケーパビリティ要求コマンドに応じてケーパビリティ情報を提供するケーパビリティ情報提供手段と、前記状態問合せコマンドに応答する状態問合せコマンド応答手段とを備える、という解決手段を採用する。
【００１６】
画像供給システムに係る第２の解決手段として、伝送路を介して画像供給装置から画像表示装置に画像データを供給するシステムであって、前記画像供給装置は、前記画像表示装置へケーパビリティ要求コマンドを送信するケーパビリティ要求手段と、通信速度計測用データを前記画像表示装置に送信する通信速度計測用データ送信手段と、前記画像表示装置から得られたケーパビリティ情報および／または前記通信速度計測用データに基づいて計測された通信速度に基づいて最適な画像データの送信方式を決定する画像送信方式決定手段と、前記画像表示装置へ接続要求コマンドを送信する接続要求手段と、前記画像表示装置へ状態問合せコマンドを送信する状態問合せ手段と、前記画像送信方式決定手段の決定に基づいた方式による画像データを前記画像供給装置から前記画像表示装置へ送信する画像データ送信手段と、を備え、前記画像表示装置は、前記ケーパビリティ要求コマンドに応じてケーパビリティ情報を提供するケーパビリティ情報提供手段と、前記状態問合せコマンドに応答する状態問合せコマンド応答手段とを備える、という解決手段を採用する。
【００１７】
画像供給装置に係る第１の解決手段として、伝送路を介して画像表示装置に画像データを供給する画像供給装置であって、前記画像表示装置へケーパビリティ要求コマンドを送信するケーパビリティ要求手段と、前記画像表示装置から得られたケーパビリティ情報および／または伝送路情報に基づいて画像データの送信方式を決定する画像送信方式決定手段と、前記画像表示装置へ接続要求コマンドを送信する接続要求手段と、転送しようとする画像の画像構成データとして少なくとも解像度またはピクセルフォーマットを規定し得る画像構成データを前記画像表示装置へ送信する画像構成データ送信手段と、前記画像表示装置へ状態問合せコマンドを送信する状態問合せ手段と、前記画像送信方式決定手段の決定に基づいた方式による画像データを前記画像供給装置から前記画像表示装置へ送信する画像データ送信手段とを備える、という解決手段を採用する。
【００１８】
画像供給装置に係る第２の解決手段として、伝送路を介して画像表示装置に画像データを供給する画像供給装置であって、前記画像表示装置へケーパビリティ要求コマンドを送信するケーパビリティ要求手段と、通信速度計測用データを前記画像表示装置に送信する通信速度計測用データ送信手段と、前記画像表示装置から得られたケーパビリティ情報および／または前記通信速度計測用データに基づいて計測された通信速度に基づいて最適な画像データの送信方式を決定する画像送信方式決定手段と、前記画像表示装置へ接続要求コマンドを送信する接続要求手段と、前記画像表示装置へ状態問合せコマンドを送信する状態問合せ手段と、前記画像送信方式決定手段の決定に基づいた方式による画像データを前記画像供給装置から前記画像表示装置へ送信する画像データ送信手段とを備える、という解決手段を採用する。
【００１９】
画像表示装置に係る第１の解決手段として、伝送路を介して画像供給装置から画像データを供給される画像表示装置であって、前記画像供給装置から受信したケーパビリティ要求コマンドに応じてケーパビリティ情報を提供するケーパビリティ情報提供手段と、
前記画像供給装置から受信した状態問合せコマンドに応答する状態問合せコマンド応答手段とを備える、という解決手段を採用する。
【００２０】
画像表示装置に係る第２の解決手段として、上記第１の解決手段において、プロジェクタである、という解決手段を採用する。
【００２１】
プログラムに係る第１の解決手段として、画像供給装置から画像表示装置へケーパビリティ要求コマンドを送信するケーパビリティ要求ステップと、前記ケーパビリティ要求コマンドに応じてケーパビリティ情報を前記画像表示装置から前記画像供給装置へ送信するケーパビリティ要求コマンド応答ステップと、前記画像送信方式を決定する画像送信方式決定ステップと、前記画像供給装置から前記画像表示装置へ接続要求コマンドを送信する接続要求ステップと、転送する画像の画像構成データとして少なくとも解像度またはピクセルフォーマットを規定し得るデータを前記画像供給装置から前記画像表示装置へ送信する画像構成データ送信ステップと、前記画像供給装置から前記画像表示装置へ状態問合せコマンドを送信する状態問合せステップと、前記状態問合せコマンドに応答する状態問合せコマンド応答ステップと、前記画像送信方式決定処理ステップで決定された方式による画像データを前記画像供給装置から前記画像表示装置へ送信する画像データ送信ステップとを備える、という解決手段を採用する。
【００２２】
プログラムに係る第２の解決手段として、画像供給装置から画像表示装置へケーパビリティ要求コマンドを送信するケーパビリティ要求ステップと、前記ケーパビリティ要求コマンドに応じてケーパビリティ情報を前記画像表示装置から前記画像供給装置へ送信するケーパビリティ要求コマンド応答ステップと、前記画像供給装置から前記画像表示装置へ通信速度計測用データを送信する通信速度計測用データ送信ステップと、前記通信速度計測用データに基づいて通信速度を計測することにより最適な画像データの送信方式を決定する画像送信方式決定ステップと、前記画像供給装置から前記画像表示装置へ接続要求コマンドを送信する接続要求ステップと、前記画像供給装置から前記画像表示装置へ状態問合せコマンドを送信する状態問合せステップと、前記状態問合せコマンドに応答する状態問合せコマンド応答ステップと、前記画像送信方式決定処理ステップで決定された方式による画像データを前記画像供給装置から前記画像表示装置へ送信する画像データ送信ステップとを備える、という解決手段を採用する。
【００２３】
コンピュータに読取り可能な記録媒体に係る解決手段として、上記第１のまたは第２の解決手段に係るプログラムを記憶する、という解決手段を採用する。
【発明の効果】
【００２４】
本発明に係る画像供給システムによれば、画像供給装置から画像表示装置のケーパビリティ情報および／または伝送路情報に基づいて画像データの送信方式を決定することにより、異なる画像表示装置と接続した場合も、画像表示装置毎に順応して十分なパフォーマンスを得ることが可能である。
【発明を実施するための最良の形態】
【００２５】
以下、図面を参照しながら本発明の実施形態に係る画像送信方式の決定方法について説明する。なお、各図面において、同一機能および同一手順には同一符号を付して説明の重複を避けている。
【００２６】
図１は本実施形態に係る画像送信方式の決定方法の手順を示すシーケンス図である。図１に示すように、画像供給装置１は所定のプログラムに基づいて以下に説明する各種処理を実行ことにより、画像表示装置２と通信路（伝送路）が確立した後に、画像表示装置２の状態を確認するために、本決定方法に規定する手順により画像送信方式を決定する。
【００２７】
まず、画像データを送信することが可能な状態になると、画像供給装置１はケーパビリティ要求コマンドを画像表示装置２へ送信するケーパビリティ要求コマンド（ステップＳ１）実行する。これに応答するように画像表示装置２はケーパビリティ情報を返信するケーパビリティ要求コマンド応答（ステップＳ２）を実行する。ついで、図２に沿って後述する画像送信方式決定処理（ステップＳ３）が実行された後、画像表示装置２へ接続要求コマンドを送信する接続要求コマンド（ステップＳ４）が実行される。
【００２８】
そして、これから転送する画像の構成を規定するデータである解像度、ピクセルフォーマット等を画像供給装置１から画像表示装置２へ送信する画像構成データ送信（ステップＳ５）が実行される。ここで、接続要求コマンド（ステップＳ４）に画像構成データ送信（ステップＳ５）が含まれるようにしても良い。つまり、転送しようとする画像に関する画像構成データが、接続要求コマンド（ステップＳ４）に含まれている場合は、接続要求コマンド（ステップＳ４）と同一の手順として画像構成データ送信（ステップＳ５）が実行されるが、これらの手順は同一手順でも別手順でも構わない。
【００２９】
なお、一般的にパネル解像度／サポートする最大解像度／サポートする圧縮方式毎に、ケーパビリティＩＤが決められているので、ケーパビリティ要求コマンド（ステップＳ１）においては、画像供給装置１にとって必要かつ有効なケーパビリティだけを効率的に要求するようにしても良い。逆に、画像供給装置１にとって必要性の有無にかかわらず、ケーパビリティ要求コマンド応答（ステップＳ２）において、画像供給装置１は画像表示装置２から無選別に全てのケーパビリティ情報を受け取るようにしても良い。
【００３０】
そして、状態問合せコマンドを送信する状態問合せコマンド（ステップＳ６）と、それに応答する状態問合せコマンド応答（ステップＳ７）を実行する。その後、画像供給装置１は画像送信方式決定処理（ステップＳ３）に基づいた画像送信方式による画像データを、画像表示装置２へ送信する画像データ送信（ステップＳ８）が実行される。これらの手順を含む方法によって画像送信方式が決定される。
【００３１】
ケーパビリティの内容を以下に示す。ケーパビリティとは、画像表示装置２の性能仕様であり、ケーパビリティを知ることによって使用上の制約条件を明確にすることができる。具体的には、つぎに例示するとおりである。
・  プロジェクタＩＤ
・  ＣＰＵクロック
・  パネル解像度
・  サポートする最大解像度
・  サポートする最小解像度
・  要求する圧縮方式
・  サポートする圧縮方式
【００３２】
以下、ハードウェアをＨＷと、ソフトウェアをＳＷと略す。
・  ＲＡＷ  ＲＧＢ５６５／ＲＧＢ８８８（ＨＷデコード／ＳＷデコード／非対応）
・  ＪＰＥＧ（ＨＷデコード／ＳＷデコード／非対応）
・  ＺＬＩＢ（ＨＷデコード／ＳＷデコード／非対応）
・  スケーリング処理（ＨＷ処理／ＳＷ処理／非対応）
・  ピクセル列反転機能（ＨＷ処理／ＳＷ処理／非対応）
・  転送可能な最小矩形サイズ（幅、高さ）
・  アラインサイズ（ピクセルに対してバイト境界）
【００３３】
図２は本実施形態に係る送信方式の決定処理（ステップＳ３）の内容を示すフローチャートである。図２に示すように、送信方式の決定処理（ステップＳ３）において、スケーリング決定処理（ステップＳ２１）と、圧縮方式の決定処理（ステップＳ２２）の２つの処理が実行される。
【００３４】
スケーリング決定処理（ステップＳ２１）では、パネル解像度、サポートする最大解像度、サポートする最小解像度、および／またはスケーリングに関するケーパビリティに基づいて、画像供給装置１または画像表示装置２のどちらでスケーリング処理するかを決定する。つまり、画像供給装置１の解像度と画像表示装置２が要求する解像度、画像供給装置１と画像表示装置２それぞれのスケーリング処理能力に基づいて合理的に判断する。例えば、画像表示装置２が要求する解像度より、画像供給装置１の解像度が小さい場合は、スケーリング処理を実行することなく、そのままの解像度で画像供給装置１から画像表示装置２へ画像データを送信しても良い。
【００３５】
圧縮方式の決定処理（ステップＳ２２）では、ＣＰＵクロックおよびサポートする圧縮方式に関するケーパビリティに基づいて、画像表示装置２における展開処理能力を判断して、画像供給装置１で画像データを圧縮する方式を選択する。なお、圧縮方式を決定する際は伝送路情報を加味して決めてもよい。具体的には、ＬＡＮ／無線ＬＡＮ／ＵＳＢ２．０／ＵＳＢ１．１といった伝送路情報が確定することにより圧縮方式の選択範囲が絞られる。あるいは伝送路情報に基づいてほぼ一義的に確定することも多いので、圧縮方式の決定は対応テーブルに定めておくことも可能である。例えば、ＵＳＢ１．１であれば、伝送帯域が小さいので高圧縮方式のＪＰＥＧを優先的に選択するように対応テーブル上で規定しておくことが好ましい。
【００３６】
図３は本実施形態に係る画像送信方式の送信方式の決定処理の内容を詳細に示した図であり、（ａ）フローチャートと、（ｂ）決定処理に用いる計算式である。図３（ａ）は図２のフローチャートをより詳細にしている。画像供給装置の解像度情報を取得する解像度情報取得処理（ステップＳ３１）後、画像供給装置１がサポートする解像度を決定する際の処理である解像度決定処理（ステップＳ３２）を経て、圧縮方式決定処理（Ｓ２２）＆スケーリング決定処理（Ｓ２１）の両方である圧縮＆スケーリング決定処理（ステップＳ３３）を実行する。ついで、フレームバッファ初期化処理を実行する（ステップＳ３４）。
【００３７】
解像度決定処理（ステップＳ３２）においては、２つの判断Ａ，Ｂを伴った処理が実行される。１つ目の判断Ａ（ステップＳ３２１）として、（画像供給装置１の解像度）＞（画像表示装置２がサポート可能な最大解像度）であるか否か？を判断する。すなわち、画像供給装置１の解像度が、画像表示装置２によって受け取れる解像度の範囲内であるか否かをチェックする。受け取れる範囲内であればＯＫである。これは、「ケーパビリティ内のサポート最大解像度」という観点によるチェックである。この判断Ａ（ステップＳ３２１）がＮｏであり、画像供給装置１の解像度を画像表示装置２がサポート可能であるならば、圧縮＆スケーリング決定処理（ステップＳ３３）へ進む。
【００３８】
一方、判断Ａ（ステップＳ３２１）がＹｅｓであり、画像供給装置１の解像度が、画像表示装置２のサポート可能な上限を超えているならば、２つ目の判断Ｂ（ステップＳ３２２）として、画像供給装置１が、この解像度をサポートしているか否か？を判断する。この判断Ｂ（ステップＳ３２２）がＮｏであれば処理を終了する。逆に判断Ｂ（ステップＳ３２２）がＹｅｓであれば圧縮＆スケーリング決定処理（ステップＳ３３）へ進む。すなわち、画像供給装置１の解像度が、画像表示装置２のサポート可能な上限を超えている場合であって、画像供給装置１が「ケーパビリティ内のサポート最大解像度」をサポートするのであれば、そのサポート範囲以内へスケーリングする。
【００３９】
また、図３（ｂ）に示した決定処理に用いる計算式によって、一番処理時間が少ない方法を決定する。そして、スケーリング処理時間は、画像供給装置１または画像表示装置２どちらか一方の値を用いる。このとき、どちらでパネル解像度に合せてスケーリングするかを決定する。
【００４０】
なお、画像表示装置２は、ケーパビリティとして、展開処理およびスケーリング処理の処理能力を平均データ量ＫＢ／ｓｅｃとして保持している。一方、画像供給装置１は、起動後にキャプチャ処理、スケーリング処理、圧縮処理の能力を事前に計測しておく。
【００４１】
ここで、転送処理能力の計測方法として、以下のことが考えられる。
（１）ケーパビリティ情報を取得する際の転送時間を計測する。
（２）ケーパビリティ取得後、テストデータを流して計測する。
（３）接続されているデバイス情報を取得し、ＵＳＢ２．０／ＵＳＢ１．１を判別して、テーブルより転送速度の数値を導き出す。
【００４２】
画像供給装置１は、前記圧縮＆スケーリング決定処理（ステップＳ３３）後、画像表示装置２へ送信するフレームバッファを初期化する。ここで、画像供給装置１でパネル解像度に合せてスケーリングする際、フレームバッファの解像度はパネルサイズ解像度と一致する。
【００４３】
画像供給システムＥにおける画像供給装置１は、フレームバッファから更新された矩形データを画像表示装置２へ送信する。この時、画像表示装置２側で受け取ることができる矩形データについて制約がある場合が考えられる。その制約を回避するためのケーパビリティも画像供給装置１は保持しており、以下のような定義に基づいている。
【００４４】
（１）ピクセルアライメント（矩形の幅、高さ）
このピクセルアライメントの倍数になるように矩形データを取得する。
（２）座標位置アライメント（幅、高さ）
この座標位置の倍数になる座標から矩形データを取得する。
（３）最小矩形サイズ
画像表示装置へ送信できる最小矩形サイズを定義している。矩形データ取得時には上記アライメント等の制限を考慮してフレームバッファから矩形データを取り出す。
【００４５】
なお、本実施形態に係る画像送信方式の決定方法を実行する主体は、画像供給装置１と画像表示装置２の何れか一方、または両方にそれぞれ配設されたコンピュータである。このコンピュータに付属されたソフトウェア（プログラム）を、前記コンピュータのハードウェア（記憶、演算、入出力、表示、通信等の各手段）で実行することにより、前記各ステップ（Ｓ１）〜（Ｓ８），（Ｓ２１）〜（Ｓ２２）が実働する。これらの動作主体は前記コンピュータの全体であるが、説明の便宜上、各機能別の構成要素は、それぞれ独立したものと見なすこともできる。すなわち、前記各ステップ（Ｓ１）〜（Ｓ８），（Ｓ２１）〜（Ｓ２２）を実行する各機能別の構成要素の集合体が前記コンピュータである。そして、本発明にいう画像供給システムは画像供給装置１と画像表示装置２の組み合わせにより構成されたものであって、これら画像供給装置１と画像表示装置２の何れか一方または両方に、つぎの各要素が含まれて構成された画像供給システムと考えられる。
【００４６】
図４は本実施形態に係る画像供給システムＥの機能構成を示すブロック図である。図４に示すように、画像供給システムＥは、画像供給装置１と、画像表示装置２と、これら画像供給装置１および画像表示装置２の少なくとも何れか一方に含まれる情報伝送支援手段ほかにより構成されている。なお、前記情報伝送支援手段がインターフェース１１に含まれている比率が大きい場合は、画像供給装置１’と、画像表示装置２’に含まれる前記情報伝送支援手段の分担比率は少なくて済む。なお、インターフェース１１には伝送路も含まれるものとする。
【００４７】
前記情報伝送支援手段は、画像供給装置１，１’から画像表示装置２，２’へケーパビリティ要求コマンドを送信するケーパビリティ要求手段５と、ケーパビリティ要求コマンドに応じてケーパビリティ情報を提供するケーパビリティ情報提供手段６と、ケーパビリティ情報および／または伝送路情報に基づいて画像データの送信方式を決定する画像送信方式決定手段７と、画像供給装置１，１’から画像表示装置２，２’へ接続要求コマンドを送信する接続要求手段８と、転送しようとする画像の画像構成データとして少なくとも解像度またはピクセルフォーマットを規定し得る画像構成データを画像供給装置１，１’から画像表示装置２，２’へ送信する画像構成データ送信手段９と、画像供給装置１，１’から画像表示装置２，２’へ状態問合せコマンドを送信する状態問合せ手段３と、状態問合せコマンドに応答する状態問合せコマンド応答手段４と、画像送信方式決定手段７の決定に基づいた方式による画像データを画像供給装置１，１’から画像表示装置２，２’へ送信する画像データ送信手段１０と、により構成されている。
【００４８】
なお、接続要求手段８に画像構成データ送信手段９が含まれるようにしても良い。逆に、接続要求コマンドと画像構成データを別々のセッションで転送する場合には、画像構成データ送信（ステップＳ５）は接続要求コマンド（ステップＳ４）と状態問合せコマンド（ステップＳ６）の間に実行する。
【００４９】
この画像供給システムＥによれば、画像供給装置１，１’から画像表示装置２，２’のケーパビリティ情報および／または伝送路情報に基づいて画像データの送信方式を決定することにより、画像供給装置１，１’が異なる画像表示装置と接続した場合も、異なる画像表示装置毎に画像供給装置１，１’側で順応するので十分なパフォーマンスを得ることが可能である。
【００５０】
また、本発明に係る画像送信方式の決定方法および／または画像供給システムにおける画像表示装置２はプロジェクタであることが好ましい。このことにより、例えば、この画像供給システムの一部を構成するパーソナルコンピュータにプロジェクタを接続する際、最新機種と古い機種のプロジェクタを交換自在に接続しても高いパフォーマンスを維持することが可能となる。
【００５１】
なお、本発明に係る画像送信方式の決定方法および／または画像供給システムの技術を、ＤＭＤ（Digital Micromirror Device：米国テキサスインスツルメンツ社の登録商標）等のデバイスを用いたプロジェクタに付属するソフトウェアに応用することも可能である。
【００５２】
〔追加実施形態〕
次に、本発明の追加実施形態について、図５〜図7を参照して説明する。
図５は、追加実施形態に係る画像送信方式の決定方法の手順を示すシーケンス図、図６、図7は本追加実施形態に係る画像送信方式決定処理の内容を示すフローチャート、また図８は本追加実施形態における各種処理を示す模式図である。
【００５３】
なお、本追加実施形態のシステム構成は、上述した実施形態の画像構成データ送信手段９に代えて通信速度計測用データ送信手段１２を備えた画像供給装置１及び上述した実施形態と同様な伝送路１１と下記内容のケーパビリティを記憶する画像表示装置２Ａとから構成されている。
【００５４】
最初に、本追加実施形態におけるケーパビリティについて説明するが、本追加実施形態は、上述した実施形態とは異なり、以下の５つの項目をケーパビリティの内容とすることを前提とするものである。本追加実施形態では、このようなケーパビリティを前提として、図５に示す手順で画像送信方式を決定する。なお、この図５では、図1に示した処理と同一の処理には同一符号を付している。
【００５５】
（１）パネル解像度
幅、高さ
（２）サポートする最大解像度
幅、高さ
（３）色空間
例：ＲＧＢ５６５/ＲＧＢ８８８/ＹＵＶ等
（４）サポートする矩形圧縮方式
圧縮形式
Ｘ，Ｙ座標のアライメント
幅、高さのアライメント
最小矩形の幅、最小矩形の高さ
最大矩形の幅、最大矩形の高さ
処理速度（ＫＢ/ｓｅｃ）
（５）スケーリング処理速度（ＫＢ/ｓｅｃ）
【００５６】
この図５と図1とを比較すると容易に分かるように、本追加実施形態の画像送信方式を決定方法は、ａ）画像送信方式決定処理（ステップＳ3’）の内容、ｂ）画像供給装置１Ａがケーパビリティ要求コマンドに対する応答を画像表示装置２Ａから受信すると、接続要求コマンドの送信処理（ステップＳ4）の前に通信速度計測用のデータ送信（ステップＳ9）を実行する点、またｃ）接続要求コマンドの送信処理（ステップＳ4）と状態問合せコマンドの送信処理（ステップＳ6）との間において画像構成データ送信（ステップＳ5）を行わない点において、図1に示した決定方法と相違する。
【００５７】
上記通信速度計測用のデータ送信（ステップＳ9）は、画像表示装置２Ａがトラフィック状態に応じて変動する伝送路１１の通信速度を計測することができるように構成された通信速度計測用データを画像表示装置２Ａに向けて送信する処理である。画像表示装置２Ａは、上記通信速度計測用データを画像供給装置１Ａから受信することによって伝送路１１の通信速度を計測する。
【００５８】
また、本追加実施形態における画像供給装置１Ａは、図６、図7に示す手順で画像送信方式決定処理（ステップＳ3’）を行う。すなわち、画像供給装置１Ａは、ステップＳ2として画像表示装置２Ａから受信したケーパビリティから画像表示装置２Ａの解像度（パネル解像度及び最大解像度）を取得すると共に自らがサポートしている解像度（自解像度）とを取得し（ステップＳ3ａ）、このパネル解像度及び最大解像度を自らがサポートするか否か、また自解像度を画像表示装置２Ａがサポートするか否かを判断する（ステップＳ3ｂ）。ここで、画像供給装置１Ａは、ステップＳ3ｂの判断が「Ｎｏ」の場合、画像表示装置２Ａが対応することができる解像度の画像データを提供することができないので、画像送信方式決定処理（ステップＳ3’）を終了し、一方、ステップＳ3ｂの判断が「Ｙｅｓ」の場合には、自らの解像度（自解像度）が画像表示装置２Ａの最大解像度よりも大きいか否かを判断する（ステップＳ3ｃ）。
【００５９】
そして、画像供給装置１Ａは、上記ステップＳ3ｃの判断が「Ｙｅｓ」の場合、画像表示装置２Ａのパネル解像度と最大解像度とを比較することにより最大解像度がパネル解像度よりも大きいか否かを判断し（ステップＳ3ｄ）、この判断が「Ｙｅｓ」の場合は画像データに対するスケーリング処理の実行者を画像表示装置２Ａに決定し（ステップＳ3ｅ）、一方、この判断が「Ｎｏ」の場合には、画像データを画像表示装置２Ａの最大解像度にスケーリング処理する（ステップＳ3ｆ）。すなわち、画像供給装置１Ａは、画像表示装置２Ａのパネル解像度が最大解像度以下の場合にのみスケーリング処理を実行する。
【００６０】
一方、上記ステップＳ3ｃの判断が「Ｎｏ」の場合、画像供給装置１Ａは、自解像度が画像表示装置２Ａの最大解像度よりも大きいか否かを判断し（ステップＳ3g）、この判断が「Ｙｅｓ」の場合は、最大解像度がパネル解像度よりも大きいか否かを判断し（ステップＳ3ｈ）、この判断が「Ｙｅｓ」の場合は画像データに対するスケーリング処理の実行者を画像表示装置２Ａに決定し（ステップＳ3ｉ）、一方、「Ｎｏ」の場合には画像データを画像表示装置２Ａの最大解像度にスケーリング処理する（ステップＳ3ｊ）。
【００６１】
また、画像供給装置１Ａは、上記ステップＳ3gの判断が「Ｎｏ」の場合には、最大解像度がパネル解像度よりも大きいか否かを判断し（ステップＳ3ｋ）、この判断が「Ｙｅｓ」の場合は自解像度が画像表示装置２Ａのパネル解像度よりも大きいか否かを判断し（ステップＳ3ｍ）、この判断が「Ｙｅｓ」の場合は画像データに対するスケーリング処理の実行者を画像表示装置２Ａに決定し（ステップＳ3ｎ）、一方、この判断が「Ｎｏ」の場合には画像データのスケーリング処理を実行しないことを決定する（ステップＳ3ｐ）。また、画像供給装置１Ａは、上記ステップＳ3ｋの判断が「Ｎｏ」の場合も、画像データのスケーリング処理を実行しないことを決定する（ステップＳ3ｑ）。
【００６２】
画像供給装置１Ａは、このようなステップＳ3ａ〜Ｓ3ｑの一連の処理によって画像データのスケーリング処理に関して決定すると、自らがスケーリング処理をする場合のスケーリング処理速度を計測する（ステップＳ3ｒ）。そして、画像供給装置１Ａは、スケーリング処理した画像データを自らがサポートしている圧縮方式で圧縮処理する際の圧縮処理速度を計測し（ステップＳ3ｓ）、また上述した通信速度計測用データを画像表示装置２Ａに送信することによって圧縮処理した画像データの転送処理速度を計測し（ステップＳ3ｔ）、さらに上記スケーリング処理速度、圧縮処理速度及び転送処理速度に基づいて対応テーブルを参照することにより圧縮処理した画像データに関する最適な送信方法を決定する（ステップＳ3ｕ）。そして、画像供給装置１Ａは、このようにして決定した最適な送信方法に必要なフレームバッファを初期化する（ステップＳ3ｖ）。
【００６３】
以上の処理によって画像供給装置１Ａがスケーリング処理を行うことが決定された場合、画像供給装置１Ａは、図８（ａ）に示すように、画像データのキャプチャ処理、スケーリング処理及び圧縮処理を行い、伝送路１１は画像供給装置１Ａによって圧縮された画像データの伝送処理を行い、画像表示装置２Ａは、画像供給装置１Ａによって圧縮された画像データの展開処理を行うことになる。また、画像供給装置１Ａがスケーリング処理を行わないことが決定された場合、画像供給装置１Ａは、図８（ｂ）に示すように、画像データのキャプチャ処理及び圧縮処理を行い、伝送路１１は画像供給装置１Ａによって圧縮された画像データの伝送処理を行い、画像表示装置２Ａは、画像供給装置１Ａによって圧縮された画像データの展開処理に加えてスケーリング処理を行うことになる。
【００６４】
このような追加実施形態によれば、画像供給装置１Ａは、画像表示装置２Ａの上記ケーパビリティの内容に応じた最適な通信方式を選択・決定することが可能であり、すなわち画像表示装置２Ａに応じてフレキシブルに最適な通信方式を決定して画像データを画像表示装置２Ａに送信することができる。
【図面の簡単な説明】
【００６５】
【図１】本発明の実施形態（本実施形態）に係る画像送信方式の決定方法の手順を示すシーケンス図である。
【図２】本実施形態に係る画像送信方式の送信方式の決定処理の内容を示すフローチャートである。
【図３】本実施形態に係る画像送信方式の決定処理の内容を詳細に示した図であり、（ａ）フローチャート、（ｂ）決定処理に用いる計算式である。
【図４】本実施形態に係る画像供給システムの機能構成を示すブロック図である。
【図５】本発明の追加実施形態に係る画像送信方式の決定方法の手順を示すシーケンス図である。
【図６】追加実施形態に係る画像送信方式の決定処理の内容を示す第１のフローチャートである。
【図７】追加実施形態に係る画像送信方式の決定処理の内容を示す第２のフローチャートである。
【図８】追加実施形態における各種処理を示す模式図である。
【符号の説明】
【００６６】
１，１’，１Ａ…画像供給装置、２，２’，２Ａ…画像表示装置、１１…インターフェース、Ｅ…画像供給システム
【図１】
0005612807.tif 000002
【図２】
0005612807.tif 000003
【図３】
0005612807.tif 000004
【図４】
0005612807.tif 000005
【図５】
0005612807.tif 000006
【図６】
0005612807.tif 000007
【図７】
0005612807.tif 000008
【図８】
0005612807.tif 000009